(57)【要約】【課題】本発明は、該管継手と床下排水管との接続作業を床下で行なうことがなく、配管作業の手間や労力を大幅に削減することを課題とする。【解決手段】上端に各屋内排水設備からの屋内排水管を接続するための接続口４を有し、下端に床下集合ます５に連絡する床下排水管を接続する接続口７を有し、上端付近には縦座部８と水平座部９とを一体的に形成した座板１０を取付けた管継手１であって、該座板１０の縦座部８を介して該管継手１を床駆体柱側面に取付け、または、該座板１０の水平座部９を介して床基礎から立設した支棒によって該管継手１を支持する排水管用管継手１を提供する。【選択図】    図１
2004238971.tif 000002
【特許請求の範囲】
【請求項１】
上端に各屋内排水設備からの屋内排水管を接続するための接続口を有し、下端に床下集合ますに連絡する床下排水管を接続する接続口を有し、上端付近には縦座部と水平座部とを一体的に形成した座板を取付けた管継手であって、該座板の縦座部を介して該管継手を床駆体柱側面に取付け、または、該座板の水平座部を介して床基礎から立設した支棒によって該管継手を支持することを特徴とする排水管用管継手。
【請求項２】
請求項１に記載の排水管用管継手を複数個使用し、該管継手の下端接続口には集合ますからの床下排水管をそれぞれ接続し、床板施工前に床駆体柱側面に該座板の縦座部を介して所定個の該管継手を取付け、床駆体柱間では所定個の該管継手を該座板の水平座部を介して床基礎から立設した支棒によって支持し、各管継手の上端接続口に屋内排水管を接続した後、床板施工をすることを特徴とする排水システムの施工方法。
【発明の詳細な説明】
【０００１】
【発明の属する技術分野】
本発明は排水管用管継手と該排水管用管継手を用いる排水システムの施工方法に関する。
【０００２】
【従来の技術】
従来、図１２に示すように、建物内の屋内排水設備（図示せず）からの屋内排水管（２Ｐ）と、屋外排水管（図示せず）に接続される床下排水管（６Ｐ）とを接続する排水管用管継手（１Ｐ）として、屋内排水管（２Ｐ）に接続するための上端受口（４Ｐ）と、床下排水管（６Ｐ）に接続するための下端受口（７Ｐ）と、該管継手（１Ｐ）を床（１９Ｐ）  に固定するための固定座部とを有する排水管用管継手（１Ｐ）が提供されている。
該排水管用管継手（１Ｐ）を使用して排水システムを施工する場合には、床（１９Ｐ）  の施工が完了した後に、該床（１９Ｐ）  の所定個所に取付孔（２１Ｐ）  を設け、該取付孔（２１Ｐ）  に該管継手（１Ｐ）を嵌着して、該固定座部を介して該管継手（１Ｐ）を床（１９Ｐ）  に取付け固定する（特許文献１参照）。
【０００３】
【特許文献１】
特開平４−１３１５８０号公報（第２−３頁、第３図）
【０００４】
【発明が解決しようとする課題】
しかしながら上記従来の排水管用管継手（１Ｐ）では、床（１９Ｐ）  の施工後に該管継手（１Ｐ）と床下排水管（６Ｐ）との接続作業を行なうこととなり、その場合、床下での配管作業は、作業スペースの確保が困難であるため、多大な手間や労力を要するという問題があった。
【０００５】
【課題を解決するための手段】
本発明は上記従来の課題を解決するための手段として、上端に各屋内排水設備からの屋内排水管（２）  を接続するための接続口（４）  を有し、下端に床下集合ます（５）  に連絡する床下排水管（６）  を接続する接続口（７）  を有し、上端付近には縦座部（８）  と水平座部（９）  とを一体的に形成した座板（１０）を取付けた管継手（１）  であって、該座板（１０）の縦座部（８）  を介して該管継手（１）  を床駆体柱（１３，１４）  側面に取付け、または、該座板（１０）の水平座部（９）  を介して床基礎（２４）から立設した支棒（２５）によって該管継手（１）  を支持する排水管用管継手（１）  を提供するものである。
また本発明では、上記の排水管用管継手（１）  を複数個使用し、該管継手（１）  の下端接続口（７）  には集合ます（５）  からの床下排水管（６）  をそれぞれ接続し、床板（１９）施工前に床駆体柱（１３，１４）  側面に該座板（１０）の縦座部（８）  を介して所定個の該管継手（１）  を取付け、床駆体柱（１３，１４）  間では所定個の該管継手（１）  を該座板（１０）の水平座部（９）  を介して床基礎（２４）から立設した支棒（２５）によって支持し、各管継手（１）  の上端接続口（４）  に屋内排水管（２）  を接続した後、床板（１９）施工をする排水システムの施工方法が提供される。
【０００６】
【作用】
本発明の排水管用管継手（１）  および排水システムの施工方法では、床（１９）の施工前に排水管用管継手（１）  の取付けをするため、床下における配管作業がなくなり、排水管用管継手（１）  と床下排水管（６）  との接続作業を容易に行なうことが可能となる。
【０００７】
【発明の実施の形態】
〔実施例１〕
本発明を図１〜図３に示す一実施例によって説明する。
図１および図２に示すように、排水管用管継手（１）  の上端には、建物内の各屋内排水設備（図示せず）からの屋内排水管（２）  を接続するための縦管（３）  を接続する上端接続口である上端受口（４）  が設けられており、該排水管用管継手（１）  の下端には、床下集合ます（５）  に連絡する床下排水管（６）  を接続する下端接続口である挿口（７）  が設けられており、該排水管用管継手（１）  の上端付近には、縦座部（８）  と水平座部（９）  とが一体的に形成された座板（１０）が取付けられている。
【０００８】
また、該縦座部（８）  の左右両側部分には釘孔（１１）がそれぞれ設けられており、該水平座部（９）  の左右両側部分には支棒取付孔（１２）がそれぞれ設けられている（図１参照）。
【０００９】
上記の排水管用管継手（１）  を使用して、図３に示すような排水システムの施工を行なう場合には、まず、コンクリートを打込んで建物の基礎を打設した後に、該基礎上に大引（１３）や根太（１４）などの床駆体柱を有する建物駆体を構築する。その際、打設する基礎内には屋外排水管（図示せず）と接続排水管（１５）とを接続するための基礎貫通スリーブ（図示せず）を埋設しておき、該基礎貫通スリーブに連絡する接続排水管（１５）を床下に設置した集合ます（５）  の下流側受口（１６）に接続し、該集合ます（５）  の上流側受口（１７）に可撓管である床下排水管（６）  を接続する。
【００１０】
つぎに、該集合ます（５）  からの床下排水管（６）  を、例えば大曲り９０°エルボーや４５°エルボー等の屈曲管継手（１８）を介して、各排水管用管継手（１）  下端の挿口（７）  にそれぞれ接続し、根太（１４）上に床板（１９）を貼る前に、すなわち床（１９）の施工前に、該排水管用管継手（１）  の座板（１０）の縦座部（８）  を根太（１４）に釘（２０）で固定することによって、該座板（１０）の縦座部（８）  を介して該排水管用管継手（１）  を根太（１４）の側面に取付ける。
【００１１】
そして、該排水管用管継手（１）  の上端受口（４）  に縦管（３）  を接続して、所定個所に取付孔（２１）を設けた床板（１９）を根太（１４）上に釘（２０）等で固定するとともに、該床板（１９）の取付孔（２１）から縦管（３）  を差出す。そして、床板（１９）に仕上げ加工を施して、床（１９）の施工を完了させた後に、該排水管用管継手（１）  から差出された縦管（３）  に建物内の排水設備からの屋内排水管（２）  を接続する。
【００１２】
このように該排水管用管継手（１）  を使用して排水システムの施工を行なうことにより、床（１９）の施工を行なう前に排水管用管継手（１）  の取付けを行なうことが出来るため、該管継手（１）  と床下排水管（６）  との接続作業を床下で行なう必要がなく、排水管用管継手（１）  と床下排水管（６）  との接続作業を容易に行なうことが可能となり、配管作業の手間や労力を大幅に削減することが出来る。
【００１３】
本実施例以外、図４に示すように、建物内の排水設備と縦管（３）  との接続位置、すなわち排水管用管継手（１）  の取付位置と、根太（１４）が設けられている位置とが若干ずれている場合には、排水管用管継手（１）  の縦座部（８）  と根太（１４）との間にスペーサー（２２）を介在させ、該スペーサー（２２）を介して該排水管用管継手（１）  を根太（１４）に取付け固定してもよい。
【００１４】
また、図５に示すように、建物内の排水設備と縦管（３）  との接続位置、すなわち排水管用管継手（１）  の取付位置が、根太（１４）と根太（１４）との中間に設定される場合には、排水管用管継手（１）  の取付位置に桟（２３）を差渡し、該桟（２３）に座板（１０）の縦座部（８）  を介して該排水管用管継手（１）  を取付けてもよい。
【００１５】
〔実施例２〕
図６および図７には他の実施例が示される。
図６に示すように、排水管用管継手（１）  の上端には、建物内の各屋内排水設備（図示せず）からの屋内排水管（２）  を接続するための縦管（３）  を接続する上端接続口である上端受口（４）  が設けられており、該排水管用管継手（１）  の下端には、床下集合ます（５）  に連絡する床下排水管（６）  を接続する下端接続口である挿口（７）  が設けられており、該排水管用管継手（１）  の上端付近には、縦座部（８）  と水平座部（９）  とが一体的に形成された座板（１０）が取付けられている。
【００１６】
また、該縦座部（８）  の左右両側部分には釘孔（１１）がそれぞれ設けられており、該水平座部（９）  の左右両側部分には支棒取付孔（１２）がそれぞれ設けられており、該水平座部（９）  の支棒取付孔（１２）には、床基礎（２４）から立設した支棒（２５）が取付け固定されている（図６参照）。
【００１７】
該排水管用管継手（１）  を使用して、図７に示すような排水システムの施工を行なう場合には、各排水管用管継手（１）  下端の挿口（７）  に集合ます（５）  からの床下排水管（６）  をそれぞれ接続し、床（１９）の施工を行なう前に、床駆体柱である根太（１４）と根太（１４）との間の位置において、該排水管用管継手（１）  を該座板（１０）の水平座部（９）  を介して床基礎（２４）から立設した支棒（２５）によって支持する。
【００１８】
そして、実施例１と同様、該排水管用管継手（１）  の上端受口（４）  に縦管（３）  を接続して、所定個所に取付孔（２１）を設けた床板（１９）を根太（１４）上に貼るとともに該床板（１９）の取付孔（２１）から縦管（３）  を差出し、床（１９）の仕上げ加工を施して、床（１９）の施工を完了させた後に、該排水管用管継手（１）  から差出された縦管（３）  に建物内の排水設備からの屋内排水管（２）  を接続する。
【００１９】
本実施例の排水管用管継手（１）  では、建物内の排水設備と縦管（３）  との接続位置、すなわち排水管用管継手（１）  の取付位置が、根太（１４）と根太（１４）との中間に設定される場合であっても、任意の位置で排水管用管継手（１）  を支棒（２５）によって支持することが出来る。
【００２０】
以上、本発明の実施の形態を実施例１および実施例２により説明したが、本発明の範囲はこれらに限定されるものではなく、請求項に記載された範囲内において目的に応じて変更・変形することが可能である。
【００２１】
例えば上記実施例以外、図８に示すように、排水管用管継手（１）  は、上端に屋内排水管（２）  を接続するための接続口（４）  を有する上部材（２６）と、下端に床下集合ます（５）  に連絡する床下排水管（６）  を接続する接続口である下端受口（７）  を有する下部材（２７）とからなり、該上部材（２６）下端の中間挿口（２８）の外周面にはＯリング（２９）を係止するための係止環溝（３０）が設けられており、該係止環溝（３０）に該Ｏリング（２９）を装着した状態で、該中間挿口（２８）に屈曲管継手部である下部材（２７）を回動可能に連結した構成であってもよく、この場合、該下部材（２７）の下端受口（７）  を任意の方向に向けて、床下排水管（６）  と接続することが出来る。
【００２２】
また上記実施例以外、図９に示すように、排水管用管継手（１）  の座板（１０）の水平座部（９）  の左右両側部分に、支棒取付切欠部（３１）がそれぞれ設けられていてもよく、更に、座板（１０）の縦座部（８）  の釘孔（１１Ａ，１１Ｂ）  は複数個設けてられていてもよい。
【００２３】
更に上記実施例以外、図１０に示すように、屋内排水管（２）  を接続するための縦管（３）  および該縦管（３）  を接続するための上端受口を設けることなく、排水管用管継手（１）  の上端接続口としての挿口（４）  が上端から一体的に延設されていてもよく、この場合、図１０において破線で示すように、必要に応じて該排水管用管継手（１）  の挿口（４）  をカットすることによって該挿口（４）  の長さを調節して、屋内排水管（２）  と接続することが出来る。
【００２４】
また更に上記実施例以外、図１１に示すような集合ます（５Ａ，５Ｂ）  を使用してもよい。
該集合ます（５Ａ，５Ｂ）  は、１個の上流側受口（１７）と、１個の下流側受口（１６）と、３個の上流側枝受口（３２）を有している。該集合ます（５Ａ，５Ｂ）  を２個使用して配管を行なう場合には、一方の集合ます（５Ａ）の上流側受口（１７）に他方の集合ます（５Ｂ）の下流側受口（１６）を接続して、該２個の集合ます（５Ａ，５Ｂ）  を連結し、集合ます（５Ａ，５Ｂ）  の上流側枝受口（３２）および他方の集合ます（５Ｂ）の上流側受口（１７）に床下排水管（６）  を接続するとともに、一方の集合ます（５Ａ）の下流側受口（１６）に接続排水管（１５）を接続する。
【００２５】
【発明の効果】
本発明では、床の施工前に排水管用管継手の取付けが出来るため、該管継手と床下排水管との接続作業を床下で行なう必要がなく、配管作業の手間や労力を大幅に削減することが可能となる。
【図面の簡単な説明】
図１〜図３は本発明の実施例１を示すものである。
【図１】排水管用管継手の斜視図である。
【図２】排水管用管継手の側断面図である。
【図３】排水システムの説明側断面図である。
【図４】他の実施例における排水システムの説明側断面図である。
【図５】更に他の実施例における排水システムの説明側断面図である。図６および図７は本発明の実施例２を示すものである。
【図６】排水管用管継手の側面図である。
【図７】排水システムの説明側断面図である。
【図８】他の実施例の排水管用管継手の側断面図である。
【図９】更に他の実施例の排水管用管継手の斜視図である。
【図１０】また更に他の実施例の排水管用管継手の側面図である。
【図１１】また更に他の実施例の排水管用管継手の側断面図である。
【図１２】従来例の説明側断面図である。
【符号の説明】
１            排水管用管継手
２            屋内排水管
３            縦管
４            上端の接続口
５            床下集合ます
６            床下排水管
７            下端の接続口
８            縦座部
９            水平座部
１０          座板
１３          大引
１４          根太
１９          床板（床）
２４          床基礎
２５          支棒
【図１】
2004238971.tif 000003
【図２】
2004238971.tif 000004
【図３】
2004238971.tif 000005
【図４】
2004238971.tif 000006
【図５】
2004238971.tif 000007
【図６】
2004238971.tif 000008
【図７】
2004238971.tif 000009
【図８】
2004238971.tif 000010
【図９】
2004238971.tif 000011
【図１０】
2004238971.tif 000012
【図１１】
2004238971.tif 000013
【図１２】
2004238971.tif 000014